(57)【要約】【課題】傷や割れの発生を防止できる透光性基板及び透過型光学部材を提供する。【解決手段】フレネルレンズシート１１０は、ガラス基板１０と、ガラス基板１０の出光面側に配置されたフレネルレンズフィルム１１と、ガラス基板１０の入光面側に配置された機能性フィルム１２と、黒テープ５０等とを備えている。黒テープ５０は、覆った部分に傷が発生することを防止することができ、ガラス基板１０の端部を覆うように設けられている。【選択図】図１
2006208611.tif 000002
【特許請求の範囲】
【請求項１】
光源から投射された光を透過させて観察側に出射する透過型光学部材に用いられる透光性基板であって、
その端部を覆い、前記端部の傷付きを防止する保護層を備えた透光性基板。
【請求項２】
請求項１に記載の透光性基板において、
前記保護層は、その厚さが０．０５〜３．００ｍｍであること、
を特徴とする透光性基板。
【請求項３】
請求項１又は請求項２に記載の透過型光学部材において、
前記保護層は、光吸収層であること、
を特徴とする透過型光学部材。
【請求項４】
透光性基板と、
前記透光性基板の片面又は両面に設けられた光学層と、
前記透光性基板の少なくとも端部を覆い、前記端部の傷付きを防止する保護層と、
を備えた透過型光学部材。
【請求項５】
請求項４に記載の透過型光学部材において、
前記保護層は、光吸収層であること、
を特徴とする透過型光学部材。
【請求項６】
請求項５に記載の透過型光学部材において、
前記保護層は、前記透光性基板とのＤ線の屈折率差が０．１以下であること、
を特徴とする透過型光学部材。
【請求項７】
請求項４から請求項６までのいずれか１項に記載の透過型光学部材において、
前記光学層は、発散光を略平行光とする偏向光学層であること、
を特徴とする透過型光学部材。
【請求項８】
請求項４から請求項６までのいずれか１項に記載の透過型光学部材において、
前記光学層は、光を拡散する拡散光学層であること、
を特徴とする透過型光学部材。
【請求項９】
請求項４から請求項６までのいずれか１項に記載の透過型光学部材において、
前記透光性基板に、少なくとも前記光学層として発散光を略平行光とする偏向光学層、及び、少なくとも前記光学層として光を拡散する拡散光学層が設けられていること、
を特徴とする透過型光学部材。
【発明の詳細な説明】
【技術分野】
【０００１】
本発明は、光源から投射された光を透過させて観察側に出射する透過型光学部材及びそれに用いられる透光性基板に関するものである。
【背景技術】
【０００２】
従来、この種の透過型光学部材は、映像光をスクリーンの背後から投射して表示する背面投射型ディスプレイ装置に用いられ、映像光を拡大投影して観察側に表示する透過型スクリーンとして使用されている。
この透過型スクリーンは、一般的には、光源（例えば、液晶プロジェクター）から投射された映像光を観察側へ略平行光となるように屈折させるフレネルレンズシートと、この映像光を拡散させるレンチキュラーレンズシート等とを組み合わせて使用されている。
このフレネルレンズシート及びレンチキュラーレンズシートは、押出し成形により一体のシートとして形成されたり、アクリル樹脂、ポリカーボネート樹脂等のプラスチック製の基板に、レンズ等の光学要素を積層することにより形成されている。
【０００３】
しかし、プラスチック製の基板は、温度や湿度等、環境の変化によりその厚さや大きさ等が変化することがある。そのため、シートが変形し反り、フレネルレンズシートとレンチキュラーレンズシートとの間に浮きが生じることがあった。そのような状態の透過型スクリーンに映像光を投射すると、焦点ぼけ、色再現の低下、二重像、画像の歪み等、画質が著しく低下するという問題があった。
特に、薄型のリアプロジェクションテレビでは、透過型スクリーンヘの映像光の入射角度が大きいため、透過型スクリーンに生じたわずかな反りや浮きは、画質に与える影響が非常に大きいという問題があった。
また、透過型スクリーンは、大型化すると環境の変化によって生じた反りや浮きによる画像の劣化が小型のものに比べて目立ちやすくなるという問題や、自重により撓みやすくなるという問題があった。
【０００４】
そこで、温度や湿度の変化に強く、環境の変化により反りが生じることがないガラス製の基板（以下、ガラス基板という）を用いた透過型スクリーンが開発されてきた（例えば、特許文献１）。
特許文献１は、フレネルレンズシート（特許文献１には「フレネルレンズ板」と記載）と、拡散材を混合して拡散効果を持たせたガラス基板に、レンチキュラーレンズ層（特許文献１には「レンチキュラーレンズシート」と記載）が積層されたレンチキュラーレンズシート（特許文献１には「レンチキュラーレンズ板」と記載）とを組み合わせた透過型スクリーンを開示している。
特許文献１の透過型スクリーンによれば、フレネルレンズ板とレンチキュラーレンズ板とを密着して組み合わせて、その密着状態を保持できるので、画質の低下を防止することができる。
【０００５】
しかし、特許文献１の透過型スクリーンでは、ガラス基板に拡散材を混合することは容易ではなく、生産コストがかかるという問題や、ガラス基板の耐衝撃性が低下して割れやすくなるという問題があった。
【０００６】
ところで、透過型スクリーンに用いられるガラス基板は、一般的には、青板ガラスやアルカリガラス、無アルカリガラスが使用されており、また、特殊な機能を付加したものとして、耐熱ガラスや強化ガラス、半強化ガラス等がある。
さらに、近年、ディスプレイ製品は、薄型化かつ大型化の傾向にあり、その部品として使用されるガラス基板自体も薄型化、大型化が進んでいる。
このため、ガラス基板には、強化、安全対策を施す必要があり、例えば、その端面に、Ｃ面取りやＲ面取り加工が施されている。
【０００７】
しかし、ガラス基板は、たとえ、その端面がＣ面取りやＲ面取り加工により強化されていたとしても、取り扱い時に生じる撓みや他の部材との接触等により、端面に傷が発生して、割れる可能性があった。
【０００８】
【特許文献１】特開２００２−３５７８６８号公報
【発明の開示】
【発明が解決しようとする課題】
【０００９】
本発明の課題は、傷や割れの発生を防止できる透光性基板及び透過型光学部材を提供することである。
【課題を解決するための手段】
【００１０】
本発明は、以下のような解決手段により、前記課題を解決する。なお、理解を容易にするために、本発明の実施例に対応する符号を付して説明するが、これに限定されるものではない。
請求項１の発明は、光源から投射された光（Ｌ）を透過させて観察側に出射する透過型光学部材（１１０）に用いられる透光性基板（１０）であって、その端部を覆い、前記端部の傷付きを防止する保護層（５０）を備えた透光性基板である。
【００１１】
請求項２の発明は、請求項１に記載の透光性基板において、前記保護層（５０）は、その厚さが０．０５〜３．００ｍｍであること、を特徴とする透光性基板である。
【００１２】
請求項３の発明は、請求項１又は請求項２に記載の透過型光学部材において、前記保護層（５０）は、光吸収層であること、を特徴とする透過型光学部材である。
【００１３】
請求項４の発明は、透光性基板（１０）と、前記透光性基板（１０）の片面又は両面に設けられた光学層（１１）と、前記透光性基板（１０）の少なくとも端部を覆い、前記端部の傷付きを防止する保護層（５０）と、を備えた透過型光学部材である。
【００１４】
請求項５の発明は、請求項４に記載の透過型光学部材において、前記保護層（５０）は、光吸収層であること、を特徴とする透過型光学部材である。
【００１５】
請求項６の発明は、請求項５に記載の透過型光学部材において、前記保護層（５０）は、前記透光性基板（１０）とのＤ線の屈折率差が０．１以下であること、を特徴とする透過型光学部材である。
【００１６】
請求項７の発明は、請求項４から請求項６までのいずれか１項に記載の透過型光学部材において、前記光学層（１１）は、発散光を略平行光とする偏向光学層であること、を特徴とする透過型光学部材である。
【００１７】
請求項８の発明は、請求項４から請求項６までのいずれか１項に記載の透過型光学部材において、前記光学層（１２１）は、光を拡散する拡散光学層であること、を特徴とする透過型光学部材である。
【００１８】
請求項９の発明は、請求項４から請求項６までのいずれか１項に記載の透過型光学部材において、前記透光性基板（１０）に、少なくとも前記光学層として発散光を略平行光とする偏向光学層（１４）、及び、少なくとも前記光学層として光を拡散する拡散光学層（１８）が設けられていること、を特徴とする透過型光学部材である。
【発明の効果】
【００１９】
（１）本発明の透光性基板は、その端部が傷付きを防止する保護層により覆われているので、端部に傷が発生して、透光性基板が割れてしまうことを防止できる。
【００２０】
（２）保護層は、その厚さが０．０５〜３．００ｍｍであるので、透光性基板に他の部材を積層した場合に、いわゆるスペーサとしての機能を有し、他の部材との擦れを防止できる。
【００２１】
（３）保護層は、光吸収層であるので、光源から投射された光の一部が迷光となり、透光性基板の内部で反射を繰り返しても、端部を覆う光吸収層に吸収され、発生した迷光の悪影響を軽減できる。
【００２２】
（４）本発明の透過型光学部材は、透光性基板の少なくとも端部が傷付きを防止する保護層により覆われているので、端部に傷が発生して、透光性基板が割れてしまうことを防止できる。また、透光性基板の片面又は両面に光学層が設けられているので、透光性基板の端部だけではなく、全体を割れ難くすることができる。
【００２３】
（５）保護層は、光吸収層であるので、光源から投射された光の一部が迷光となり、透光性基板の内部で反射を繰り返しても、端部を覆う光吸収層に吸収され、発生した迷光の悪影響を軽減できる。
【００２４】
（６）保護層は、透光性基板とのＤ線の屈折率差が０．１以下であるので、保護層と透光性基板との界面での迷光の界面反射強度が小さくなり、発生した迷光を十分に吸収できる。
【００２５】
（７）透光性基板の片面又は両面に、発散光を略平行光とする偏向光学層が設けられたとしても、この偏向光学層で発生した迷光の悪影響を軽減できる。
【００２６】
（８）透光性基板の片面又は両面に、光を拡散する拡散光学層が設けられたとしても、この拡散光学層で発生した迷光の悪影響を軽減できる。
【００２７】
（９）透光性基板に、発散光を略平行光とする偏向光学層、及び、光を拡散する拡散光学層が設けられたとしても、この偏向光学層や拡散光学層で発生した迷光の悪影響を軽減できる。
【発明を実施するための最良の形態】
【００２８】
本発明は、傷や割れの発生を防止するという目的を、保護層により端部を覆うことによって実現する。
【実施例１】
【００２９】
以下、図面等を参照して、本発明の実施例について、さらに詳しく説明する。
図１は、本発明による透過型スクリーンの実施例１を示す図である。
図２は、実施例１による透過型スクリーンを用いた背面投射型ディスプレイ装置を示す図である。
背面投射型ディスプレイ装置１は、図２に示すように、透過型スクリーン１００と、光源（例えば、液晶プロジェクター）２０と、鏡３０等とを備えており、光源２０から投射された映像光Ｌは、鏡３０で反射された後に、背面から透過型スクリーン１００に投射される。
透過型スクリーン１００は、背面から投射された映像光Ｌを透過させて観察側に出射するスクリーンであって、図１に示すように、フレネルレンズシート１１０と、このフレネルレンズシート１１０のさらに観察側に配置されたレンチキュラーレンズシート１２０と、を組み合わせて構成されている。
【００３０】
フレネルレンズシート１１０は、透過型光学部材であって、ガラス基板１０と、フレネルレンズフィルム１１と、機能性フィルム１２と、黒テープ５０等とを備えている。
ガラス基板１０は、透光性基板であって、出光面側に、フレネルレンズフィルム１１が配置され、入光面側に、機能性フィルム１２が配置されている（詳細は、後述）。
フレネルレンズフィルム１１は、ガラス基板１０の出光面側に配置されており、アクリル樹脂、ポリカーボネート樹脂等の透明樹脂材に所定の角度を持つ溝を所定のピッチで形成し、映像光Ｌを観察側へ略平行光となるように屈折させる機能を有する。すなわち、フレネルレンズフィルム１１は、発散光を略平行光とする偏向光学層である。なお、この偏向光学層は、フレネルレンズフィルム１１に限られず、いわゆるプリズムシート等であってもよい（詳細は、後述）。
機能性フィルム１２は、ガラス基板１０の入光面側に配置されており、例えば、反射防止や帯電防止等の機能を有する。
【００３１】
図３は、フレネルレンズシート１１０の端部の断面図である。なお、この図は、フレネルレンズシート１１０の出光面側を上側として示している。
ガラス基板１０は、その端部の一部に、Ｒ面取り加工が施されている。その結果、ガラス基板１０の端部の一部は、鏡面化されている。ここで、ガラス基板１０の端部とは、厚み部分と、Ｒ面取り加工が施された部分とを含む領域をいう。
【００３２】
黒テープ５０は、ガラス基板１０の端部を含む外縁部だけでなく、フレネルレンズフィルム１１及び機能性フィルム１２の外縁部を覆うように設けられている。すなわち、黒テープ５０は、フレネルレンズシート１１０の外縁部を覆っていることになる。
【００３３】
黒テープ５０は、例えば、覆った部分に傷が付くことを防止することができる。
また、黒テープ５０は、その厚さが０．０５〜３．００ｍｍであることが好ましい。これにより、フレネルレンズシート１１０とレンチキュラーレンズシート１２０とを積層するときに、黒テープ５０は、いわゆるスペーサとしての機能を有し、互いの接触による擦れを防止できる。
【００３４】
したがって、フレネルレンズシート１１０は、その外縁部が黒テープ５０により覆われているので、取り扱い時に他の部材（例えば、レンチキュラーレンズシート１２０等）と接触したとしても、ガラス基板１０の端部に傷が発生せず、ガラス基板１０が割れることがない。また、ガラス基板１０の端部は、黒テープ５０により傷付きが防止されているので、欠けてしまうことがない。
【００３５】
さらに、黒テープ５０は、黒色に着色されているので、光吸収性を有しており、可視光を略１００％吸収することができる。
【００３６】
ここで、透過型スクリーン１００には、光源２０から投射された映像光Ｌの一部の光ＬＡが迷光となり、ガラス基板１０の内部で反射を繰り返し、さらに、鏡面化されたガラス基板１０の端部に到達し、この端部で反射すると、画質が低下する等の悪影響が生じる可能性があった。
【００３７】
しかし、フレネルレンズシート１１０は、その外縁部が黒テープ５０により覆われているので、たとえ、光ＬＡが迷光となり、ガラス基板１０の内部で反射を繰り返しても、この迷光は、ガラス基板１０の外縁部において、黒テープ５０により吸収される。
したがって、フレネルレンズシート１１０は、発生した迷光の悪影響を軽減できる。また、フレネルレンズシート１１０は、ガラス基板１０とフレネルレンズフィルム１１及び機能性フィルム１２との界面で発生した迷光に限られず、フレネルレンズフィルム１１の外側の界面や機能性フィルム１２の外側の界面で発生した迷光の悪影響も軽減できる。
【００３８】
再び、図１に戻って説明する。
レンチキュラーレンズシート１２０は、透過型光学部材であって、レンチキュラーレンズフィルム１２１と、ガラス基板１２２と、黒テープ６０等とを備えている。レンチキュラーレンズフィルム１２１は、ガラス基板１２２の入光面側に配置されており、単位レンズが縦方向に多数略平行に形成され、映像光Ｌを水平方向に拡散させる機能を有する。すなわち、レンチキュラーレンズフィルム１２１は、光を拡散する拡散光学層である。なお、この拡散光学層は、レンチキュラーレンズフィルム１２１に限られず、光を拡散させる拡散材が混合された拡散フィルム、全反射を利用した拡散部材である全反射型フィルム等であってもよい（詳細は、後述）。
ガラス基板１２２は、透光性基板であって、レンチキュラーレンズフィルム１２１の出光面側に配置されており、上述したガラス基板１０と略同様の機能を有する。なお、ガラス基板１２２の出光面側と入光面側との両方又はいずれか一方に、機能性フィルムを配置するようにしてもよい。この機能性フィルムとしては、例えば、ハードコート層、防眩層、反射防止層、紫外線吸収層、帯電防止層などが挙げられる。
【００３９】
レンチキュラーレンズシート１２０は、その外縁部が、上述した黒テープ５０と同様な機能を有する黒テープ６０で覆われている。
したがって、レンチキュラーレンズシート１２０は、取り扱い時に他の部材（例えば、フレネルレンズシート１１０等）と接触したとしても、ガラス基板１２２の端部に傷が発生せず、ガラス基板１２２が割れることがない。また、ガラス基板１２２の端部は、黒テープ６０により傷付きが防止されているので、欠けてしまうことがない。
【００４０】
さらに、レンチキュラーレンズシート１２０は、フレネルレンズシート１１０と同様に、たとえ、映像光Ｌの一部の光が迷光となり、ガラス基板１２２の内部で反射を繰り返しても、この迷光は、ガラス基板１２２の外縁部において、黒テープ６０により吸収される。
したがって、レンチキュラーレンズシート１２０は、発生した迷光の悪影響を軽減できる。また、レンチキュラーレンズシート１２０は、ガラス基板１２２とレンチキュラーレンズフィルム１２１との界面で発生した迷光に限られず、レンチキュラーレンズフィルム１２１の外側の界面で発生した迷光の悪影響も軽減できる。
【００４１】
つぎに、フレネルレンズシート１１０の製造工程について説明する。なお、以下の製造工程は、レンチキュラーレンズシート１２０と略同様であるので、レンチキュラーレンズシート１２０の製造工程については説明を省略する。
まず、フレネルレンズフィルム１１を、予めポリエチレンテレフタレートやポリカーボネート等のフィルムを基材として成型しておく。
つぎに、このフレネルレンズフィルム１１を不図示の粘着層を介して、ガラス基板１０の出光面側に貼り合わせる。粘着層は、例えば、感圧接着剤が用いられる。なお、粘着層は、その屈折率がガラス基板１０の屈折率と略同一であることが好ましい。
【００４２】
つぎに、ガラス基板１０の入光面側に、上述した工程と同様にして、機能性フィルム１２を貼り合わせる。そして、ガラス基板１０の外縁部に、黒色のテープを貼る。これにより、ガラス基板１０の外縁部は、黒テープ５０により覆われ、その結果、フレネルレンズシート１１０が製造される。
なお、粘着層は、顔料系インキや染料系インキを混入して、着色してもよい。このようにすれば、フレネルレンズシート１１０は、黒テープ５０だけでなく粘着層によっても、映像光Ｌの一部の光ＬＡを吸収することができる。
【００４３】
したがって、透過型スクリーン１００に含まれるフレネルレンズシート１１０及びレンチキュラーレンズシート１２０によれば、ガラス基板１０，１２２の端部に傷が発生して、ガラス基板１０，１２２が割れてしまうことを防止できる。また、フレネルレンズシート１１０及びレンチキュラーレンズシート１２０は、上述したように、ガラス基板１０，１２２に、それぞれフレネルレンズフィルム１１、レンチキュラーレンズフィルム１２１が設けられているので、ガラス基板１０，１２２の端部だけでなく、全体を割れ難くすることができる。
また、フレネルレンズシート１１０及びレンチキュラーレンズシート１２０は、その外縁部が、黒テープ５０，６０で覆われているので、取り扱い時に粘着剤の余剰分がはみ出してしまうことを防止できる。
【００４４】
さらに、フレネルレンズシート１１０及びレンチキュラーレンズシート１２０によれば、発生した迷光の悪影響を軽減できる。
さらにまた、フレネルレンズシート１１０及びレンチキュラーレンズシート１２０は、その基板として、ガラス基板１０，１２２を用いることができるので、平面性が高くなり、撓みが減少する。このため、透過型スクリーン１００には、画像の歪みが発生しない。
【実施例２】
【００４５】
図４は、本発明によるフレネルレンズシートの実施例２を示す図である。なお、以下に示す各実施例では、上述したフレネルレンズシート１１０の各部材と同様な機能を有する部材については、同一符号又は末尾に統一した符号を付して、機能等の説明を適宜省略する。
フレネルレンズシート１１０Ａは、図４（ｂ）に示すように、ガラス基板１０と、フレネルレンズフィルム１１と、機能性フィルム１２と、黒テープ５０Ａ等とを備えている。フレネルレンズシート１１０Ａは、例えば、フレネルレンズシート１１０と比べると、黒テープ５０Ａがガラス基板１０の外縁部だけを覆っている点が異なる。
【００４６】
このため、ガラス基板１０は、その外縁部が取り扱い時に他の部材（例えば、レンチキュラーレンズシート１２０等）と接触したとしても、その端部には傷が発生せず、ガラス基板１０が割れることがない。また、ガラス基板１０の端部は、黒テープ５０Ａにより傷付きが防止されているので、欠けてしまうことがない。
【００４７】
ここで、ガラス基板１０の外縁部を黒テープ５０Ａで覆わない場合には、図４（ａ）に示すように、映像光の一部の光Ｌ１が迷光となり、ガラス基板１０の内部で反射を繰り返し、さらに、鏡面化されたガラス基板１０の端部に到達し、この端部で反射すると、画質が低下する等の悪影響が生じる可能性があった。
しかし、本実施例によるフレネルレンズシート１１０Ａでは、図４（ｂ）に示すように、ガラス基板１０の端部を含む外縁部を、光吸収性を有する黒テープ５０Ａで覆うようにしたので、映像光の一部の光Ｌ１Ａが迷光となり、ガラス基板１０の内部で反射を繰り返しても、この迷光は、ガラス基板１０の外縁部において、黒テープ５０Ａにより吸収される。
【００４８】
したがって、フレネルレンズシート１１０Ａによれば、ガラス基板１０の端部に傷が発生して、ガラス基板１０が割れてしまうことを防止できる。
また、フレネルレンズシート１１０Ａでは、ガラス基板１０の外縁部だけを黒テープ５０Ａで覆うようにしたので、フレネルレンズシート１１０に比べて、その製造工程を簡素化できる。
さらに、フレネルレンズシート１１０Ａは、発生した迷光の悪影響を軽減できる。また、フレネルレンズシート１１０Ａは、ガラス基板１０とフレネルレンズフィルム１１及び機能性フィルム１２との界面で発生した迷光に限られず、フレネルレンズフィルム１１の外側の界面や機能性フィルム１２の外側の界面で発生した迷光の悪影響も軽減できる。
【実施例３】
【００４９】
図５は、本発明によるガラス基板の実施例３を示す図である。
ガラス基板１０Ａは、上述した背面投射型ディスプレイ装置１に用いられる透過型スクリーン１００に限られず、適宜のディスプレイ製品の構成部品（例えば、液晶テレビのカラーフィルタ、プラズマディスプレイパネルの背面板等）に用いられる。
【００５０】
ガラス基板１０Ａは、例えば、ガラス基板１０と比べると、その端部の一部に、Ｃ面取り加工が施されている点が異なる。ここで、ガラス基板１０Ａの端部とは、厚み部分と、Ｃ面取り加工が施された部分とを含む領域をいう。
【００５１】
ガラス基板１０Ａでは、図５（ｂ）に示すように、その端部を含む外縁部を、黒テープ５０Ｂで覆うようにしたので、その外縁部が取り扱い時に他の部材と接触したとしても、その端部には傷が発生せず、ガラス基板１０Ａが割れることがない。また、ガラス基板１０Ａの端部は、黒テープ５０Ｂにより傷付きが防止されているので、欠けてしまうことがない。
【００５２】
ここで、ガラス基板１０Ａの外縁部を黒テープ５０Ｂで覆わない場合には、図５（ａ）に示すように、映像光の一部の光Ｌ２が迷光となり、ガラス基板１０Ａの内部で反射を繰り返し、さらに、鏡面化されたガラス基板１０Ａの端部に到達し、この端部で反射すると、画質が低下する等の悪影響が生じる可能性があった。
しかし、本実施例によるガラス基板１０Ａでは、図５（ｂ）に示すように、その端部を含む外縁部を、光吸収性を有する黒テープ５０Ｂで覆うようにしたので、映像光の一部の光Ｌ２Ａが迷光となり、ガラス基板１０Ａの内部で反射を繰り返しても、この迷光は、ガラス基板１０Ａの外縁部において、黒テープ５０Ｂにより吸収される。
【００５３】
したがって、ガラス基板１０Ａによれば、ガラス基板１０Ａの端部に傷が発生して、ガラス基板１０Ａが割れてしまうことを防止できる。
また、ガラス基板１０Ａによれば、発生した迷光の悪影響を軽減できる。
【００５４】
（変形例）
以上説明した実施例に限定されることなく、種々の変形や変更が可能であって、それらも本発明の均等の範囲内である。
（１）ガラス基板１０，１０Ａ，１２２の端部は、黒テープ５０，５０Ａ，５０Ｂ，６０で保護するようにしたが、これに限られず、この端部の傷付きを防止できるのであれば、透明なテープであってもよく、また、端部にアクリル系、ウレタン系、エポキシ系等の樹脂を塗布するようにしてもよい。なお、テープとしては、ビニールテープ、布テープ、クラフトテープ、アルミテープ等、適宜のテープを使用してもよい。
（２）黒テープ５０，６０，５０Ａ，５０Ｂは、黒色に限らず、波長域が４００〜７００ｎｍである可視光を９５％以上吸収することができるのであれば、適宜の色で着色してもよい。
（３）黒テープ５０，５０Ａ，５０Ｂ，６０は、ガラス基板１０，１０Ａ，１２２とのＤ線の屈折率差を０．１以下にするようにしてもよい。なお、Ｄ線とは、ナトリウムの輝線であり、その波長は５８９．３ｎｍである。このようにすれば、黒テープ５０，５０Ａ，５０Ｂ，６０とガラス基板１０，１０Ａ，１２２との界面での迷光の界面反射強度が小さくなるので、黒テープ５０，５０Ａ，５０Ｂ，６０は、発生した迷光を十分に吸収できる。そして、発生した迷光の悪影響を軽減することにより、コントラストの低下を防止することができる。また、ガラス基板１０，１０Ａ，１２２として、Ｄ線の屈折率が約１．５２である青板ガラスを用いると共に、黒テープ５０，５０Ａ，５０Ｂ，６０の粘着層として、Ｄ線の屈折率が約１．５であるアクリル系の樹脂を用いることにより、黒テープ５０，５０Ａ，５０Ｂ，６０とガラス基板１０，１０Ａ，１２２とのＤ線の屈折率差を０．１以下にすることができる。
（４）透過型スクリーン１００は、フレネルレンズシート１１０とレンチキュラーレンズシート１２０とを組み合わせて構成されているとしたが、これに限られず、ガラス基板１０の出光面側又は入光面側に各種の偏向光学層を配置したり、ガラス基板１２２の出光面側又は入光面側に各種の拡散光学層を配置してもよい。以下、具体的に説明する。
図６は、偏向光学層であるフレネルレンズフィルムを示す模式図である。
フレネルレンズフィルム１３は、ガラス基板１０の出光面側に配置されており、図示のように、出射側にフレネルレンズ形状が形成され、入射側から入射した光を所定の方向に屈折させて出射する。
図７は、偏向光学層であるプリズムシートを示す模式図である。
プリズムシート１４は、ガラス基板１０の入光面側に配置されており、図示のように、入射側に断面が三角形状の単位プリズム形状が多数形成され、入射した光を単位プリズムの屈折面で屈折させた後に、全反射面で全反射させて出射側の表面から出射させる。
ここで、迷光が発生する原理について説明する。
プリズムシート１４では、図示のように、必要な方向に出射する映像光Ｌの他に、単位プリズム形状の全反射面で全反射されない光が生じる場合がある。この光の一部は、迷光ＬＡとなり、プリズムシート１４とガラス基板１０との界面１４ａで屈折し、ガラス基板１０の内部で反射を繰り返し、上述したように、ガラス基板１０の端部に到達する。
図８は、各種の拡散光学層を示す模式図である。
拡散フィルム１５は、ガラス基板１２２の出光面側に配置されており、図８（ａ）に示すように、その内部に光を拡散させる拡散材（例えば、ガラスビーズ）１５ａが略均一に混合されたアクリル樹脂により形成される。なお、拡散フィルム１５は、拡散材の代わりに、その表面に微細な凹凸形状を施すようにしてもよい。また、拡散フィルム１５は、ガラス基板１２２の入光面側に配置してもよい。
レンチキュラーレンズフィルム１６は、ガラス基板１２２の入光面側に配置されており、図８（ｂ）に示すように、レンチキュラーレンズ部１６ａと、レンチキュラーレンズフィルム１６のベースとなる基材部１６ｂと、光吸収部を有する層１６ｃとからなる。
レンチキュラーレンズ部１６ａは、基材部１６ｂの入光面側に配置されており、断面が略楕円形状であり、入射側に突出した単位レンズが多数形成され、入射した光を水平方向に拡散させる。
光吸収部を有する層１６ｃは、基材部１６ｂの出光面側に配置されており、この基材部１６ｂの出射側に形成された複数の光吸収部を有している。光吸収部は、レンチキュラーレンズ部１６ａからの光が通過しない領域に縞状に配置されており、外光を吸収して、コントラストの低下を防止する。
レンチキュラーレンズフィルム１７は、ガラス基板１２２の出光面側に配置されており、図８（ｃ）に示すように、レンチキュラーレンズ部１７ａと、レンチキュラーレンズフィルム１７のベースとなる基材部１７ｂとからなる。レンチキュラーレンズ部１７ａは、基材部１７ｂの出光面側に配置されており、上述したレンチキュラーレンズ部１６ａと略同様の形状であり、入射した光を水平方向に拡散させる。
全反射型フィルム１８は、ガラス基板１２２の入光面側に配置されており、図８（ｄ）に示すように、補助用拡散フィルム１８ａと、光吸収部１８ｂを有する単位光学形状１８ｃと、全反射型フィルム１８のベースとなる基材部１８ｄとからなる。
単位光学形状１８ｃは、その断面が略台形であり、下底部分から入射した光の少なくとも一部を、斜辺部分で所定の方向に全反射し、上底部分から出射して拡散させる。
光吸収部１８ｂは、単位光学形状１８ｃの間に配置され、その断面が三角形状であり、単位光学形状１８ｃよりも屈折率の小さい材料により形成されており、単位光学形状１８ｃの斜辺部分で全反射されない光や外光を吸収する。
この全反射型フィルム１８は、単位光学形状１８ｃの下底部分から入射した光の少なくとも一部を、斜辺部分で所定の方向に全反射し、上底部分から出射して拡散させ、さらに、単位光学形状１８ｃの斜辺部分で全反射されない光や外光を光吸収部１８ｂで吸収するので、入射した光を水平方向に拡散させると共に、コントラストの低下を防止できる。なお、全反射型フィルム１８は、ガラス基板１２２の出光面側に配置してもよい。
（５）透過型光学部材１００−１は、例えば、ガラス基板１０の入光面側に偏向光学層であるプリズムシート１４を配置すると共に、出光面側に拡散光学層である拡散フィルム１５、レンチキュラーレンズフィルム１７、全反射型フィルム１８のいずれかを配置して、いわゆる一体型の透過型スクリーンとしてもよい。なお、図９（ａ）は、ガラス基板１０の入光面側にプリズムシート１４を配置し、出光面側に全反射型フィルム１８を配置した一体型の透過型スクリーンを示している。このプリズムシート１４は、多数の単位プリズム形状を形成するための基材１４ｂを有する。
また、透過型光学部材１００−２は、図９（ｂ）に示すように、ガラス基板１０の入光面側に光源側からプリズムシート１４、全反射型フィルム１８を配置し、一体型の透過型スクリーンとしてもよい。このプリズムシート１４は、基材１４ｂを有する。なお、この基材１４ｂは、その内部に拡散材が混入されていてもよい。また、全反射型フィルム１８の代わりに、拡散フィルム１５を配置してもよい。さらに、これらの一体型の透過型スクリーンの最観察側に、拡散フィルムや機能性フィルムを配置してもよい。
【図面の簡単な説明】
【００５５】
【図１】本発明による透過型スクリーンの実施例１を示す図である。
【図２】実施例１による透過型スクリーンを用いた背面投射型ディスプレイ装置を示す図である。
【図３】フレネルレンズシート１１０の端部の断面図である。
【図４】本発明によるフレネルレンズシートの実施例２を示す図である。
【図５】本発明によるガラス基板の実施例３を示す図である。
【図６】偏向光学層であるフレネルレンズフィルムを示す模式図である。
【図７】偏向光学層であるプリズムシートを示す模式図である。
【図８】各種の拡散光学層を示す模式図である。
【図９】本発明による透過型光学部材の変形例を示す図である。
【符号の説明】
【００５６】
１    背面投射型ディスプレイ装置
１０，１０Ａ    ガラス基板
１１，１３    フレネルレンズフィルム
１２    機能性フィルム
１４    プリズムシート
１５    拡散フィルム
１６，１７    レンチキュラーレンズフィルム
１８    全反射型フィルム
２０    光源
３０    鏡
５０，５０Ａ，５０Ｂ    黒テープ
１００    透過型スクリーン
１００−１，１００−２    透過型光学部材
１１０，１１０Ａ    フレネルレンズシート
１２０    レンチキュラーレンズシート
１２１    レンチキュラーレンズフィルム
Ｌ    映像光
【図１】
2006208611.tif 000003
【図２】
2006208611.tif 000004
【図３】
2006208611.tif 000005
【図４】
2006208611.tif 000006
【図５】
2006208611.tif 000007
【図６】
2006208611.tif 000008
【図７】
2006208611.tif 000009
【図８】
2006208611.tif 000010
【図９】
2006208611.tif 000011